(57)【特許請求の範囲】
【請求項１】
外部から隔離される作業ルームと、作業用開口を有しその作業用開口が前記作業ルームに臨むように設けられたクリーンベンチユニットとを備え、建物の内部に独立に設置されるクリーンルームユニットであって、
前記作業ルームとクリーンベンチユニット内の空気の清浄化と圧力調整を行うことが可能で、作業ルームにエアシャワーを発生可能な空気調整システムと、
前記空気調整システムを制御する空気調整制御手段であって、前記空気調整システムを、作業ルームにエアシャワーを発生させるエアシャワーモードと、作業ルームを陽圧又は陰圧にして所定の作業を可能にする作業モードとに切り換え可能な空気調整制御手段と、
を備えたことを特徴とするクリーンルームユニット。
【請求項２】
前記クリーンベンチユニットは、前記作業用開口を開閉する開閉シャッタと、この開閉シャッタの開閉を検出するシャッタ開閉検出手段とを有し、
前記空気調整制御手段は、シャッタ開閉検出手段により開閉シャッタが開いていることが検出された場合に、前記シャワーモードへの切り換えを禁止することを特徴とする請求項１に記載のクリーンルームユニット。
【請求項３】
前記クリーンベンチユニットは、作業テーブル上に敷かれるマットを自動的にスライドさせて交換する自動マット交換装置を有することを特徴とする請求項１に記載のクリーンルームユニット。
【請求項４】
前記自動マット交換装置は、ロール状に巻かれたマットが着脱可能に装着されたマット供給部と、このマット供給部に装着されたマットを作業テーブル上に順次供給すると共に使用済みのマットを順次巻き取るマット巻取手段とを有することを特徴とする請求項３に記載のクリーンルームユニット。
【請求項５】
前記マット供給部に装着されたマットの残量を検出するマット残量検出手段と、このマット残量検出手段で検出されたマットの残量を報知するマット残量報知手段とを設けたことを特徴とする請求項４に記載のクリーンルームユニット。
【請求項６】
前記作業ルーム内の作業者が見ることができるディスプレイと、このディスプレイに少なくとも薬品情報を表示させる情報処理コンピュータとを有することを特徴とする請求項１に記載のクリーンルームユニット。
【請求項７】
前記作業ルームに薬品を出し入れする為の薬品出入部と、この薬品出入部から作業ルームに入れる薬品又は薬品トレイに付設されたＩＣチップから薬品情報を読み取る為のＩＣチップリーダとを設けたことを特徴とする請求項６に記載のクリーンルームユニット。
【請求項８】
前記ＩＣチップは薬品トレイに取り付けられ、この薬品トレイを載置可能な薬品出入部に前記ＩＣチップリーダを装備したことを特徴とする請求項７に記載のクリーンルームユニット
【請求項９】
前記作業モードは、作業ルーム及びクリーンベンチユニット内を陰圧にする陰圧作業モードを含むことを特徴とする請求項１〜８の何れかに記載のクリーンルームユニット。
【請求項１０】
前記作業モードは、作業ルームを陽圧にすると共にクリーンベンチユニット内を常圧にする陽圧作業モードを含むことを特徴とする請求項１〜８の何れかに記載のクリーンルームユニット。
【請求項１１】
前記空気調整制御手段は、空気調整システムを、前記エアシャワーモードと、作業モードと、吸気と排気を行いつつ作業ルーム及びクリーンベンチユニット内を強制的に換気する換気モードとに択一的に切り換え可能であることを特徴とする請求項１〜８の何れかに記載のクリーンルームユニット。
【請求項１２】
前記空気調整システムは、作業ルームへ吸気する吸気通路と、吸気通路の一部を含む作業ルーム循環通路と、クリーンベンチユニット循環通路と、作業ルームとクリーンベンチユニットから排気する共通の排気通路と、吸気通路に設けた吸気・循環ファン及び吸気切換ダンパと、作業ルーム循環通路に設けた循環切換ダンパと、クリーンベンチユニット循環通路に設けたクリーンベンチユニット循環ファンと、クリーンベンチユニット循環通路と排気通路とを接続する通路に設けた排気ダンパと、排気通路に設けた排気ファンとを有することを特徴とする請求項１〜８の何れかに記載のクリーンルームユニット
【請求項１３】
前記空気調整システムは、前記吸気通路とクリーンベンチユニット循環通路とに夫々設けられた複数の消音器を有することを特徴とする請求項１２に記載のクリーンルームユニット。
【請求項１４】
前記作業ルームの天井部分に複数のエアノズルを設け、これらエアノズルを、前記エアシャワーモード時のエア噴出口と作業モード時のエア噴出口として兼用するように構成したことを特徴とする請求項１〜８の何れかに記載のクリーンルームユニット。
【発明の詳細な説明】
【技術分野】
【０００１】  本発明は、外部から隔離される作業ルームとクリーンベンチユニットとを備えたクリーンルームユニットであって、建物の内部に独立に設置されるクリーンルームユニットに関するものである。
【背景技術】
【０００２】  通常、病院等の医療施設にはクリーンルームが設けられ、そのクリーンルームで調剤作業が行われる。医療施設において、クリーンルームには建物の部屋自体が適用され、その部屋の空気が空気調整装置により清浄化されると共に圧力調整されてクリーンルームが作られる。このクリーンルームで通常の調剤作業を行う場合、一般には、クリーンルームを陽圧にして、クリーンルーム内に室外の細菌や塵埃等を含む空気が入り込まないようにする。【０００３】  一方、クリーンルームで抗ガン剤（劇薬）の調剤作業を行う場合、一般には、クリーンルームを陰圧にする。即ち、抗ガン剤の調剤作業を行ったクリーンルーム内の空気は少なくとも抗ガン剤の成分を含んだ空気となり、その空気がクリーンルームの室外へ漏れないようにする。しかし、クリーンルーム内の作業者は抗ガン剤の成分を含む空気に触れその空気を吸ってしまう可能性が高くなる。
そこで、クリーンルームにクリーンベンチを別途設置し、そのクリーンベンチ内で抗ガン剤の調剤作業を行う必要性が高くなる。【０００４】  一般的なクリーンベンチは、その内部に設けられた作業テーブルとその上側の作業スペース、作業スペースの前側に形成された作業用開口、作業用開口を開閉する開閉シャッタ、作業スペースの空気を清浄化すると共に圧力調整する空気調整装置を備えている。このクリーンベンチを使用して調剤作業を行う場合、作業者は、開閉シャッタを適度に開け、手を作業用開口から作業スペース内に入れて、作業テーブル上で調剤作業を行う。【０００５】  クリーンベンチを使用して抗ガン剤の調剤作業を行う場合、作業スペース内を陰圧にすると、作業スペース内の抗ガン剤の成分を含む空気が作業用開口から外部に漏れにくくなる。しかし、外部の空気が作業スペース内に入り込むため、その空気を細菌や塵埃等を含まない空気とするためには、やはり、クリーンルームにクリーンベンチを設置する必要がある。
ところで、通常、クリーンルームに隣接して前室が別途設けられている。この前室にはエアシャワー装置や無菌手洗装置が設けられ、作業者は前室で除塵や殺菌を行ってからクリーンルームに入室する。【０００６】  しかし、上記の従来技術では次のような課題がある。
（Ａ）クリーンルームに建物の部屋自体を適用するため、クリーンルームが必要以上に広くなり、このクリーンルーム内の空気を高い清浄度に保つためには、空気清浄装置が大型化する。また、クリーンルーム内の空気を換気するのにも時間がかかり、ランニングコストが高くなる。
（Ｂ）更に、クリーンルームにクリーンベンチを別途設置し、更に、クリーンルームに入室する為の準備を行う前室を別途設け、その前室にエアシャワー装置を設けた場合、設備コストが非常に高価になる。
（Ｃ）総合病院では、調剤作業を含む一連の医療業務を効率よく行うために、各診療科毎、更に入院設備がある場合には、各病棟毎、各病棟のフロアー毎に、調剤作業が可能なクリーンルームを設けたいという要請がある。しかし、スペース的、コスト的に、実現不可能な場合が多い。【０００７】  一方、特開２０００−３２０８７２号公報には、前室、陽圧室、陰圧室、安全キャビネット（クリーンベンチ）、空気循環システムを備えたクリーンルームが開示されている。
前室にエアシャワー装置と無菌手洗装置が設けられ、前室に陽圧室が隣接し、陽圧室に陰圧室が隣接し、陰圧室に安全キャビネットが設置されている。空気循環システムにより、陽圧室、陰圧室、安全キャビネット内の空気が圧力調整される。前室に設けたエアシャワー装置は、空気循環システムとは別の装置である。【０００８】  このクリーンルームには建物の部屋自体を適用するものであると推測でき、その場合、前記（Ａ）〜（Ｃ）と同様の課題が生じる。仮に、このクリーンルームを建物の内部に独立に設置されるユニットに構成した場合、前記課題は多少改善する可能性はあるが、次のような課題がある。
（ａ）陽圧室とは別に陰圧室を設け、これら陽圧室と陰圧室とは別にエアシャワーを行う前室を設けたので、クリーンルームを小型化するのには限界があり、空気循環システムも大型化する虞がある。
（ｂ）更に、空気循環システムと別に、前室にエアシャワー装置が必要となるため、クリーンルームの製作コストが非常に高価になる。
（ｃ）作業者は、前室、陽圧室、陰圧室の各室間を移動する必要があるため作業負荷が増える。【０００９】  本発明の目的は、作業ルームとクリーンベンチユニットとを備えたクリーンルームユニットを建物の内部に独立に設置し、作業ルームにエアシャワーを発生させて作業者の除塵を可能にすること、そのエアシャワーを空気調整システムで発生させること、作業ルームを陽圧又は陰圧にして作業ルーム内の作業者がクリーンベンチユニットを使用して調剤作業を可能にすること、小型化、低コスト化を実現すること、等である。
【発明の開示】
【００１０】  本発明のクリーンルームユニットは、外部から隔離される作業ルームと、作業用開口を有しその作業用開口が前記作業ルームに臨むように設けられたクリーンベンチユニットとを備え、建物の内部に独立に設置されるクリーンルームユニットであって、前記作業ルームとクリーンベンチユニット内の空気の清浄化と圧力調整を行うことが可能で、作業ルームにエアシャワーを発生可能な空気調整システムと、前記空気調整システムを制御する空気調整制御手段であって、前記空気調整システムを、作業ルームにエアシャワーを発生させるエアシャワーモードと、作業ルームを陽圧又は陰圧にして調剤作業を可能にする作業モードとに切り換え可能な空気調整制御手段とを備えたことを特徴とする（請求項１）。
【００１１】  このクリーンルームユニットの作動（エアシャワーモード、作業モード）の切り換えは、例えば、作業者が操作部を操作して行うようにしてもよいし、各種センサを設けて作業者の動作を検知して自動的に行うようにしてもよい。
空気調整制御手段により空気調整システムが制御され、空気調整システムがエアシャワーモードに切り換えられると、作業ルームにエアシャワーが発生する。作業ルームに入室した作業者はこのエアシャワーを浴びて除塵を行うことができる。作業者はこの除塵を行ってから調剤作業を行うことになる。
【００１２】  次に、空気調整制御手段により空気調整システムが制御され、空気調整システムが作業モードに切り換えられると、作業ルームが陽圧又は陰圧になり、その作業ルーム内の作業者が作業用開口からクリーンベンチユニット内に手を入れて、調剤作業を行うことができる。
作業モードにおいて、作業ルームを陽圧にすると、作業ルーム内に外部の空気が入り込まないようになる。また、作業モードにおいて、作業ルームを陰圧にすると、作業ルーム内の空気が外部へ漏れないようになるため、抗ガン剤（劇薬）の調剤作業に適した状態となる。
【００１３】  このクリーンルームユニットによれば、次に記す顕著な効果を奏する。
前記作業ルーム、クリーンルームユニット、空気調整システム、空気調整制御手段を設けたことにより、作業者は、作業ルームに入室後、作業ルームでエアシャワーを浴び、次に、その作業ルームでクリーンベンチユニットを用いて調剤作業を行うことができ、その調剤作業を行う為に適した環境を作ることができる。従来のようにエアシャワー装置を有する前室を別途設ける必要がなく、また、空気調整システムでエアシャワーを発生させることができるので、エアシャワー装置を別途設ける必要がなくなる。更に、空気調整システムを小型化するこがで、その結果、クリーンルームユニットの小型化、低コスト化を実現することが可能になる。
【００１４】  クリーンルームユニットを小型化でき、そのクリーンルームユニットを建物の内部に独立に設置することができるため、医療施設において、このクリーンルームユニットの設置場所を確保し易く、従来のクリーンルーム、前室（エアシャワー装置）、クリーンベンチに代わる、有益なクリーンルームユニットを提供することが可能になる。
そして、実質的には、このクリーンルームユニットを設置する部屋をクリーンルームとする必要がないので、設備コストを大幅に削減することができる。但し、クリーンルームユニットをクリーンルーム内に設置してもよい。この場合、調剤作業を行うためにより望ましい環境を作ることができる。
【００１５】  次に、本発明の構成の好ましい形態について説明する。
前記クリーンベンチユニットは、前記作業用開口を開閉する開閉シャッタと、この開閉シャッタの開閉を検出するシャッタ開閉検出手段とを有し、前記空気調整制御手段は、シャッタ開閉検出手段により開閉シャッタが開いていることが検出された場合に、前記シャワーモードへの切り換えを禁止する（請求項２）。
開閉シャッタが開いた状態のまま、作業ルームにエアシャワーを発生させると、そのエアシャワーにより除塵された塵埃等を含む空気が、作業用開口からクリーンベンチユニット内に入り込み望ましくないが、こうした事態が起こるのを確実に回避することができる。
【００１６】  前記クリーンベンチユニットは、作業テーブル上に敷かれるマットを自動的にスライドさせて交換する自動マット交換装置を有する（請求項３）。
作業テーブル上に敷かれたマットにより、作業テーブルが衛生的になり、調剤作業でこぼれ落ちた薬剤等がマットで受け止められる。調剤作業を行うと作業テーブル上に敷かれたマットは汚れるが、自動マット交換装置により、そのマットが自動的に交換される。つまり、作業者が行っていたマットの交換作業を自動化できるため、作業負荷を著しく低減することが可能になる。
【００１７】  前記自動マット交換装置は、ロール状に巻かれたマットが着脱可能に装着されたマット供給部と、このマット供給部に装着されたマットを作業テーブル上に順次供給すると共に使用済みのマットを順次巻き取るマット巻取手段とを有する（請求項４）。
マット供給部にロール状に巻かれたマットを装着して、マット巻取手段により作業テーブル上に敷かれるマットを確実に交換することができる。また、使用済みのマットもロール状に巻かれた状態となるため、その使用済みのマットの処分も簡単に行うことができる。
【００１８】  前記マット供給部に装着されたマットの残量を検出するマット残量検出手段と、このマット残量検出手段で検出されたマットの残量を報知するマット残量報知手段とを設ける（請求項５）。
作業者はマット供給部に装着されたマットの残量を確実に知ることができる。従って、マット供給部に装着されたマットがなくなった場合に、準備よく新しいマットをマット供給部に装着することができる。
【００１９】  前記作業ルーム内の作業者が見ることができるディスプレイと、このディスプレイに少なくとも薬品情報を表示させる情報処理コンピュータとを有する（請求項６）。
ディスプレイは、作業ルーム又はクリーンベンチユニット内に装備される。作業者は、このディスプレイに表示された調剤に供する薬品の薬品情報を見てチェックすることができる。また、情報処理コンピュータにより、患者情報、薬歴情報、処方情報、抗ガン剤の調剤の場合はプロトコール情報、調整手順情報、監査情報等々を表示させることができ、作業者の調剤作業を支援することができる。
【００２０】  前記作業ルームに薬品を出し入れする為の薬品出入部と、この薬品出入部から作業ルームに入れる薬品又は薬品トレイに付設されたＩＣチップから薬品情報を読み取る為のＩＣチップリーダとを設ける（請求項７）。
作業ルームの作業者用の出入口を開閉することなく、作業ルームの空気の清浄度を極力保って、薬品出入部により作業ルームに薬品を出し入れすることができる。ＩＣチップリーダにより、薬品出入部から作業ルームに入れる薬品又は薬品トレイに付設されたＩＣチップから薬品情報を読み取り、その薬品情報をディスプレイに確実に表示させることができる。
【００２１】  前記ＩＣチップは薬品トレイに取り付けられ、この薬品トレイを載置可能な薬品出入部に前記ＩＣチップリーダを装備する（請求項８）。
作業ルームに入れる薬品トレイが薬品出入部に載置されると、薬品出入部に装備されたＩＣチップリーダにより薬品トレイに取り付けられたＩＣチップから薬品情報が自動的に読み取られるため、作業負荷を軽減することができる。
【００２２】  前記作業モードは、作業ルーム及びクリーンベンチユニット内を陰圧にする陰圧作業モードを含む（請求項９）。
陰圧作業モードに切り換えると、作業ルーム及びクリーンベンチユニット内が陰圧になって、作業ルームの空気が室外に漏れなくなる。従って、抗ガン剤の調剤作業に適した状態となり、抗ガン剤の成分を含む空気が外部へ漏れることを確実に防止することができる。尚、作業ルームよりもクリーンベンチユニット内の圧力を低圧にすることが望ましく、この場合、クリーンベンチユニット内の空気が作業ルームへ漏れないようになるため、作業者にとっても適した環境となる。
【００２３】  前記作業モードは、作業ルームを陽圧にすると共にクリーンベンチユニット内を常圧にする陽圧作業モードを含む（請求項１０）。
陽圧作業モードに切り換えると、作業ルームが陽圧に、クリーンベンチユニット内が常圧になって、作業ルーム内に室外の空気が入り込まなくなり、また、クリーンベンチユニット内の空気が作業ルームへ漏れないようになる。従って、クリーンベンチユニット内の空気の清浄度が維持され、作業ルームの空気の清浄度も維持され、通常の薬剤の調剤作業に適した状態となる。
【００２４】  前記空気調整制御手段は、空気調整システムを、前記エアシャワーモードと、作業モードと、吸気と排気を行いつつ作業ルーム及びクリーンベンチユニット内を強制的に換気する換気モードとに択一的に切り換え可能である（請求項１１）。
作業者が作業ルームに入室する前や抗ガン剤の調剤作業後等に、換気モードに切り換えて、作業ルームとクリーンベンチユニット内を強制的に換気できる。
【００２５】  前記空気調整システムは、作業ルームへ吸気する吸気通路と、吸気通路の一部を含む作業ルーム循環通路と、クリーンベンチユニット循環通路と、作業ルームとクリーンベンチユニットから排気する共通の排気通路と、吸気通路に設けた吸気・循環ファン及び吸気切換ダンパと、作業ルーム循環通路に設けた循環切換ダンパと、クリーンベンチユニット循環通路に設けたクリーンベンチユニット循環ファンと、クリーンベンチユニット循環通路と排気通路とを接続する通路に設けた排気ダンパと、排気通路に設けた排気ファンとを有する（請求項１２）。
空気調整システムに、上記の複数の通路、複数のファン、複数のダンパを設けたことにより、空気調整システムを、エアシャワーモード、作業モード（陽圧作業モード、陰圧作業モード）、更には、換気モードに切り換えることができる。
【００２６】  前記空気調整システムは、前記吸気通路とクリーンベンチユニット循環通路とに夫々設けられた複数の消音器を有する（請求項１３）。
前記複数のファンの作動音や、通路を流れる空気の音を消音することができ、静粛性を高めることができる。
【００２７】  前記作業ルームの天井部分に複数のエアノズルを設け、これらエアノズルを、前記エアシャワーモード時のエア噴出口と作業モード時のエア噴出口として兼用するように構成する（請求項１４）。
複数のエアノズルを、エアシャワーモード時のエア噴出口と作業モード時のエア噴出口として共通化できるため、構造を簡単化することができる。
【図面の簡単な説明】
【００２８】［図１］クリーンルームユニットの正面図である。
［図２］クリーンルームユニットの平面図である。
［図３］図１のＩＩＩ−ＩＩＩ線断面図である。
［図４］図１のＩＶ−ＩＶ線断面図である。
［図５］図１のＶ−Ｖ線断面図である。
［図６］自動的マット交換装置を含むクリーンベンチユニットの要部の斜視図である。
［図７］クリーンルームユニットの制御系のブロック図である。
［図８］クリーンルームユニットの運転モード毎の各ファン及びダンパの動作を示す図表である。
［図９］エアシャワーモードにおけるクリーンルームユニットの説明図である。
［図１０］換気モードにおけるクリーンルームユニットの説明図である。
［図１１］陽圧作業モードにおけるクリーンルームユニットの説明図である。
［図１２］陰圧作業モードにおけるクリーンルームユニットの説明図である。
【発明を実施するための最良の形態】
【００２９】  以下、本発明の実施の形態について図面に基づいて説明する。尚、図１の矢印ａを左方として説明する。
クリーンルームユニット１は、建物の内部に独立に設置されるものである。このクリーンルームユニット１は、図１〜図５に示すように、外部から隔離される作業ルーム２と、作業用開口２２を有しその作業用開口２２が作業ルーム２に臨むように設けられたクリーンベンチユニット３と、作業ルーム２とクリーンベンチユニット３内の空気の清浄化と圧力調整を行うことが可能で、作業ルーム２にエアシャワーを発生可能な空気調整システム４と、空気調整システム４を制御する制御ユニット５（空気調整制御手段に相当する）であって、空気調整システム４を、作業ルーム２にエアシャワーを発生させるエアシャワーモード（図９参照）と、作業ルーム２及びクリーンベンチユニット３内を強制的に換気する換気モード（図１０参照）と、作業ルーム２を陽圧にして調剤作業を可能にする陽圧作業モード（図１１参照）と、作業ルーム２を陰圧にして調剤作業を可能にする陰圧作業モード（図１２参照）とに択一的に切り換え可能な制御ユニット５（図７参照）を備えている。【００３０】  図１〜図５に示すように、クリーンルームユニット１は直方体状のハウジング１０を有し、そのハウジング１０の内部に、作業ルーム２、クリーンベンチユニット３、空気調整システム４、制御ユニット５が設けられている。ハウジング１０の寸法は、例えば、左右長；２０００ｍｍ、前後幅；９００ｍｍ、高さ；２５００ｍｍである。ハウジング１０の左部にクリーンベンチユニット３が設けられ、その右側に作業ルーム２が設けられ、作業ルーム２の前側且つ右側部分にパスボックス６が設けられている。パスボックス６の上側は、作業ルーム２と連通する空間になっている。クリーンベンチユニット３、作業ルーム２、パスボックス６の夫々の左右長は、例えば、６００ｍｍ，９００ｍｍ，５００ｍｍである。【００３１】  作業ルーム２の前側には、ハウジング１０に形成された作業者用の出入口１１と、この出入口１１を開閉する開閉ドア１２が設けられている。ハウジング１０の内部において、クリーンベンチユニット３と作業ルーム２の上側の天井１３が、例えば、高さ；１９００ｍｍの位置に設けられている。【００３２】  図１〜図５、図９〜図１２に示すように、この天井１３のうち、作業ルーム２の天井部分に複数（例えば、５個）のエアノズル１４が設けられ、パスボックス６の上側の天井部分にパンチングフェース型の噴出口１５が設けられている。  天井１３の上側には、吸気・循環ファン４５、排気ファン６２、吸気切換ダンパ４６、噴出切換ダンパ５２、陽圧切換ダンパ５９、クリーンベンチユニット排気ダンパ６１（以下、ＣＢ排気切換ダンパ６１と記す）、消音器４７，４８、フィルタ４９、ＨＥＰＡフィルタ５０が設けられている。【００３３】パスボックス６の底板６ａが、例えば、高さ；２６０ｍｍの位置に設けられ、ハウジング１０の右側板から左側へ、例えば１００ｍｍだけ離間した位置に、パスボックス６の右側板６ｂが設けられている。このパスボックス６の底板６ａの下側に循環切換ダンパ５１が設けられ、底板６ａの下側部分とそこに連通する右側板６ｂの右側に、作業ルーム循環通路４１の一部が形成されている。【００３４】  クリーンベンチユニット３は、その内部に設けら��た作業テーブル２０とその上側の作業スペース２１、作業スペース２１の右側に形成された作業用開口２２、作業用開口２２を開閉する開閉シャッタ２３、開閉シャッタ２３の開閉を検出するシャッタ開閉検出センサ２４（図７参照）、作業テーブル２０上に敷かれるマットＭを自動的にスライドさせて交換する自動マット交換装置３０（図６参照）、クリーンベンチユニット循環通路４３（以下、ＣＢ循環通路４３と記す）、クリーンベンチユニット循環ファン５３（以下、ＣＢ循環ファン５３と記す）と、消音器５４，５５、フィルタ５６，５７を有する。尚、ＣＢ循環通路４３、ＣＢ循環ファン５３、消音器５４，５５、フィルタ５６，５７は、空気調整システム４に含まれるものである。【００３５】  クリーンベンチユニット３は、作業用開口２２以外の部分において、右側板３ａによりクリーンベンチユニット３の内部と仕切られている。開閉シャッタ２３の大部分が透明板で構成され、その開閉シャッタ２３がクリーンベンチユニット３のフレームに上下にスライド可能に、且つ、スライド移動範囲の途中で静止可能に支持されている。尚、例えば、作業テーブル２０の高さは７５０ｍｍ、作業テーブル２０及び作業スペース２１の前後幅は８００ｍｍ、作業スペース２１の上壁２４の高さは１３５０ｍｍである。【００３６】  図６に示すように、自動マット交換装置３０は、ロール状に巻かれたマットＭが着脱可能に装着されたマット供給部３１、マット供給部３１に装着されたマットＭを作業テーブル２０上に順次供給すると共に使用済みのマットＭを順次巻き取るマット巻取機構３２、マット供給部３１に装着されたマットＭの残量を検出するマット残量検出センサ３３（図７参照）、マット残量検出センサ３３で検出されたマットの残量を報知するマット残量報知ランプ３４を有する。【００３７】  例えば、マット供給部３１は、作業テーブル２０の後部の下側に設けられ、マット巻取機構３２は、作業テーブル２０の前部の下側に設けられている。作業テーブル２０には前後１対の横長のスリット２０ａが形成され、マット供給部３１から延びるマットＭは、後側のスリット２０ａから作業テーブル２０上に導出され、作業テーブル２０上のマットＭは、前側のスリット２０ａからマット巻取機構３２の方へ導入される。【００３８】  マット供給部３１は、作業テーブル２０に支持された左右方向向きの回転軸３５を有し、回転軸３５にマットＭをロール状に巻き付けた芯管が装着される。
マット巻取機構３２は、作業テーブル２０に支持された左右方向向きの巻取軸３６と、巻取軸３６を回転させるマット巻取モータ３７（図７参照）を有し、巻取軸３６又は巻取軸３６に装着された巻取用芯管に使用済みのマットＭがロール状に巻き取られる。【００３９】  このような自動マット交換装置３０を設けたことにより、マット供給部３１にロール状に巻かれたマットＭを装着して、マット巻取機構３２により作業テーブル２０上に敷かれるマットＭを確実に交換することができる。また、使用済みのマットＭもロール状に巻かれた状態となるため、その使用済みのマットＭの処分も簡単に行うことができる。
また、マット残量検出センサ３３、マット残量報知ランプ３４を設けたので、作業者はマット供給部３１に装着されたマットＭの残量を確実に知ることができる。従って、マット供給部３１に装着されたマットＭがなくなった場合に、準備よく新しいマットＭをマット供給部３１に装着することができる。【００４０】  ここで、このクリーンルームユニット１には、図６、図７に示すように、作業ルーム２内の作業者が見ることができるディスプレイ８４と、このディスプレイ８４に少なくとも薬品情報を表示させる情報処理コンピュータ８３（パーソナルコンピュータであり、以下、ＰＣ８３と記す）が設けられている。
ディスプレイ８４は薄型の液晶又はプラズマディスプレイからなり、クリーンベンチユニット３の作業スペース２１の見易い位置に設置されている。尚、作業ルーム２の見易い位置にディスプレイ８４を設置してもよい。【００４１】  図１〜図５、図６、図９〜図１２に示すように、空気調整システム４は、作業ルーム２へ吸気する吸気通路４０、吸気通路４０の一部を含む作業ルーム循環通路４１、作業ルーム循環通路４１の分岐通路である噴出切換通路４２、ＣＢ循環通路４３、作業ルーム２とクリーンベンチユニット３から排気する共通の排気通路４４、吸気通路４０に設けた吸気・循環ファン４５及び吸気切換ダンパ４６及び消音器４７，４８及びフィルタ４９及びＨＥＰＡフィルタ５０、作業ルーム循環通路４１に設けた循環切換ダンパ５１、噴出切換通路４２に設けた噴出切換ダンパ５２、ＣＢ循環通路４３に設けたＣＢ循環ファン５３及び消音器５４，５５及びフィルタ５６、作業ルーム循環通路４１と排気通路４４とを接続する通路５８から分岐して外部へ至る通路に設けた陽圧切換ダンパ５９、ＣＢ循環通路４３と排気通路４４とを接続する通路６０に設けた排気ダンパ６１及びフィルタ５７、排気通路４４に設けた排気ファン６２、前記５個のダンパ４６，５１，５２，５９，６１を夫々開閉する５個のアクチュエータ４６ａ，５１ａ，５２ａ，５９ａ，６１ａを有する。【００４２】  作業ルーム循環通路４１は、空気を、作業ルーム２→パスボックス６の底板６ａの下側→右側壁６ｂの右側→天井１３の上側→作業ルーム２→・・・のように循環させる通路であり、天井１３の上側の空気は複数のエアノズル１４、噴出口１５から作業ルーム２へ噴出される。
この作業ルーム循環通路４１には、天井１３の上側に、上流側から順に、消音器４７、吸気・循環ファン４５、消音器４８、ＨＥＰＡフィルタ５０が設けられている。この消音器４７、吸気・循環ファン４５、消音器４８、ＨＥＰＡフィルタ５０を設けた通路部分が吸気通路４０と共有する。また、作業ルーム循環通路４１のうち、ＨＥＰＡフィルタ５０と複数のエアノズル１４との間の通路部分が通路５８により排気通路４４に接続されている。【００４３】  吸気通路４０のうち、作業ルーム循環通路４１と共有しない上流側の通路部分に、フィルタ４９と吸気ダンパ４６が設けられている。
噴出切換通路４２は、作業ルーム循環通路４１のうち、ＨＥＰＡフィルタ５０の下流側から分岐して噴出口１５へ至る通路である。
ＣＢ循環通路４３は、クリーンベンチユニット３の内部において、空気を、作業スペース２１→作業テーブル２０の下側→作業スペース２１の左側に位置する仕切板３ｂの左側→作業スペース２１の上板２４の上側→作業スペース２１・・・のように循環させる通路である。【００４４】  作業テーブル２０の下側にＣＢ循環ファン５３と消音器５４が設けられ、上板２４の上側に消音器５５とフィルタ５６，５７が設けられている。ＣＢ循環通路４３のうち、消音器５５とフィルタ５６との間の通路部分が通路６０により排気通路４４に接続されている。
この空気調整システム４には、複数の消音器４７，４８，５４，５５を設けたので、ファン４５，５３，６２の作動音や、通路を流れる空気の音を消音することができ、静粛性を高めることができる。【００４５】  尚、排気通路４４には、排気ダクト６４が接続されており、排気通路４４の空気はこの排気ダクト６４を通って外部へ排気される。この場合、排気ダクト６４により、クリーンルームユニット１の設置部屋の室外へ排気するように構成することが好ましい。但し、排気される空気は、ＨＥＰＡフィルタ５０やフィルタ５７により浄化された空気であるため、このクリーンルームユニット１の設置部屋の室内へ排気するようにしてもよい。【００４６】  図１、図４に示すように、パスボックス６は、作業ルーム２に薬品を出し入れする為の薬品出入部に相当するものであり、薬剤や調剤機器等を外部から作業ルーム２に入れる為の第１パスボックス７０ａと、使用済みの薬剤容器や調剤機器等を作業ルーム２内から外部へ出す為の第２パスボックス７０ｂからなる。
第１、第２パスボックス７０ａ，７０ｂには、夫々、外側から操作して開閉可能な外側扉７１，７２と、作業ルーム２から操作して開閉可能な内側扉７３，７４が設けられている。【００４７】  第１パスボックス７０ａから作業ルーム２に入れる薬品又は薬品トレイにＩＣチップ（図示略）が付設されている場合、そのＩＣチップから情報を読み取る為のＩＣチップリーダ８８（図７参照）が設けられている。
このＩＣチップには、少なくとも、薬品トレイに収容された薬品の薬品情報が記録され、その情報は、例えば、薬品トレイに収容する薬品を取り揃える際に、ＩＣチップライタ（図示略）によりＩＣチップに書き込まれることになる。
ＩＣチップリーダ８８については、作業者が手で持って操作できるように構成してもよいが、本実施形態では、ＩＣチップが薬品トレイに取り付けられるということを前提にして、この薬品トレイを載置可能な第１パスボックス７０ａの底板にＩＣチップリーダ８８が装備されている。【００４８】  ここで、各パスボックス７０ａ，７０ｂにおいて、外側扉７１，７２と内側扉７３，７４の両方が開いた状態となり、外部の空気がパスボックス７０ａ，７０ｂを通って作業ルーム２内に直接入り込まないように、外側扉７１，７２と内側扉７３，７４の一方が開いた状態では他方が開かないようにロックするインターロック機構を備えてもよい。また、薬剤や調剤機器等を外部から作業ルーム２に入れる為の第１パスボックス７０ａにおいては、その薬剤や調剤機器等を洗浄する洗浄装置を設けてもよい。尚、パスボックス６の後側には、作業者の手を殺菌消毒する無菌手洗装器７８が設けられている。【００４９】  次に、クリーンルームユニット１の制御系について説明する。
図７に示すように、制御ユニット５が設けられ、この制御ユニット５に、操作盤８０、シャッタ開閉検出センサ２４、ＡＳ内圧センサ８１、ＣＢ内圧センサ８２、マット残量検出センサ３３から信号が供給される。
操作盤８０は、作業ルーム２の内部又は外部又はその両方に設けられ、この操作盤８０には、電源ＳＷ、エアシャワーＳＷ、換気ＳＷ、陽圧作業ＳＷ、陰圧作業ＳＷが設けられている。ＡＳ内圧センサ８１は作業ルーム２内の空気圧を検出するセンサ、ＣＢ内圧センサ８２はクリーンベンチユニット３内の空気圧を検出するセンサである。【００５０】  制御ユニット５は、操作盤８０とセンサ８１，８２から供給された信号と、ＲＯＭ等に格納した制御プログラムに基づいて、各ファン４５，５３，６２と各切換アクチュエータ４６ａ，５１ａ，５２ａ，５９ａ，６１ａを制御する。
この場合、電源ＳＷがオンされた状態で、エアシャワーＳＷ、換気ＳＷ、陽圧作業ＳＷ、陰圧作業ＳＷの何れかがオンされると、そのオンされたＳＷに応じて、制御ユニット５により、各ファン４５，５３，６２と各切換アクチュエータ４６ａ，５１ａ，５２ａ，５８ａ，６１ａが図８に示す動作状態となるように制御されて、空気調整システム４が、エアシャワーモード、換気モード、陽圧作業モード、陰圧作業モードの何れかに切り換えられる。【００５１】  図９に示すように、空気調整システム４がエアシャワーモードになると、空気が循環通路４１を循環し、ＨＥＰＡフィルタ５０により清浄化された空気が、エアノズル１４から風速；２５〜３０ｍ／ｓ、風量；９ｍ３／ｍｉｎで作業ルーム２に噴射されてエアシャワーが発生する。但し、制御ユニット５は、シャッタ開閉検出センサ２４により開閉シャッタ２３が開いていることが検出された場合に、シャワーモードへの切り換えを禁止する。この場合、例えば、報知ランプを設け、その報知ランプを点灯させて作業者に報知するようにしてもよい。【００５２】  図１０に示すように、空気調整システム４が換気モードになると、循環通路４１が遮断され、空気が吸気通路４０を通って吸気され、ＨＥＰＡフィルタ５０により清浄化されて、作業ルーム２にエアノズル１４から風速；約１ｍ／ｓ、風量；約１ｍ３／ｍｉｎで噴出され、噴出口１５からも噴出される。作業ルーム２の空気は直接排気通路４４を通って外部へ排出される。また、クリーンベンチユニット３も換気運転され、こうして、吸気と換気が行われつつ、作業ルーム２及びクリーンベンチユニット３内が強制的に換気される。【００５３】  図１１に示すように、空気調整システム４が陽圧作業モードになると、ＣＢ循環通路４３と排気通路４４とを接続する通路６０が遮断され、クリーンベンチユニット３内の空気はＣＢ循環通路４３を循環する。また、循環通路４１が遮断され、空気が吸気通路４０を通って吸気され、ＨＥＰＡフィルタ５０により清浄化されて、作業ルーム２にエアノズル１４及び噴出口１５から噴出される。作業ルーム２の空気は直接排気通路４４を通って外部へ排出される。排気ファン６２は停止しているため、作業ルーム２が陽圧になり、クリーンベンチユニット３内が常圧になる。【００５４】  図１２に示すように、空気調整システム４が陰圧作業モードになると、循環通路４１が遮断され、空気が吸気通路４０を通って吸気され、ＨＥＰＡフィルタ５０により清浄化されて、作業ルーム２にエアノズル１４及び噴出口１５から噴出される。作業ルーム２の空気の一部は直接排気通路４４を通って外部へ排出される。また、クリーンベンチユニット３内の空気はＣＢ循環通路４３を循環しつつ、その一部の空気が排気通路４４を通って外部へ排出される。吸気・循環ファン４５の吸気量よりも排気ファン６２の排気量の方が高くなり、作業ルーム２及びクリーンベンチユニット３内が陰圧になる。また、作業ルーム２よりもクリーンベンチユニット３内の方が低圧になり、クリーンベンチユニット３内の空気が作業用開口２２から作業ルーム２へ漏れないようになる。【００５５】  ここで、空気調整システム４を陽圧作業モードに切り換えて、作業ルーム２を陽圧に��てクリーンベンチユニット３内を常圧にする場合、また、空気調整システム４を陰圧作業モードに切り換えて、作業ルーム２及びクリーンベンチユニット３内を陰圧にする場合、作動する各ファン４５，５３，６２については、計算や実験的に求めた駆動力となるように制御される。【００５６】  従って、ＡＳ内圧センサ８１，ＣＢ内圧センサ８２を省略することもできるが、制御ユニット５が、ＡＳ内圧センサ８１，ＣＢ内圧センサ８２で検出された内圧に基づいて、所期の環境になっているか否か判断し、所期の環境になっていない場合、各ファン４５，５３，６２の駆動力を補正することができる。
尚、複数のエアノズル１４を、エアシャワーモード時のエア噴出口と作業モード時のエア噴出口として兼用することで、構造を簡単化することができる。【００５７】  以上説明したクリーンルームユニット１の作用、効果について説明する。
このクリーンルームユニット１では、操作盤８０を操作して、空気調整システム４を、エアシャワーモード、換気モード、陽圧作業モード、陰圧作業モードの何れかに択一的に切り換えることができる。【００５８】  空気調整システム４をエアシャワーモードに切り換えると、作業ルーム２にエアシャワーが発生し、作業ルーム２に入室した作業者はこのエアシャワーを浴びて除塵を行うことができる。また、作業ルーム２に入室した作業者は、無菌手洗装器７８により手を殺菌消毒することができる。作業者はこの除塵と除菌を行ってから調剤作業を行うことになる。【００５９】  開閉シャッタ２３が開いている場合には、空気調整システム４のシャワーモードへの切り換えを禁止するので、開閉シャッタ２３が開いた状態のまま、作業ルーム２にエアシャワーが発生し、そのエアシャワーにより除塵された塵埃等を含む空気が、作業用開口２２からクリーンベンチユニット３内に入り込む、という望ましくない事態が起こるのを確実に回避することができる。
次に、空気調整システム４を陽圧作業モード又は陰圧作業モードに切り換えてから、作業ルーム２内の作業者が作業用開口２２から作業スペース２１内に手を入れて、作業テーブル２０上で調剤作業を行うことができる。【００６０】  ここで、空気調整システム４を陽圧作業モードにすると、作業ルーム２が陽圧になり、作業ルーム２内に外部の空気が入り込まないようになるため、通常の薬剤の調剤作業に適した状態となる。また、空気調整システム４を陰圧作業モードにすると、作業ルーム２が陰圧になり、作業ルーム２内の空気が外部へ漏れないようになるため、抗ガン剤（劇薬）の調剤作業に適した状態となる。
また、作業者が作業ルーム２に入室する前や抗ガン剤の調剤作業後等には、空気調整システム４を換気モードにして、作業ルーム２とクリーンベンチユニット３内を強制的に換気することができる。【００６１】  このクリーンルームユニット１によれば、前記作業ルーム２、クリーンルームユニット３、空気調整システム４、制御ユニット５を設けたことにより、作業者は、作業ルーム２に入室後、作業ルーム２でエアシャワーを浴び、次に、その作業ルーム２でクリーンベンチユニット３を用いて調剤作業を行うことができ、その調剤作業を行う為に適した環境を作ることができる。【００６２】  従来のようにエアシャワー装置を有する前室を別途設ける必要がなく、また、空気調整システム４でエアシャワーを発生させることができるので、エアシャワー装置を別途設ける必要がなくなる。更に、作業ルーム２については、一人の作業者のみが入室して調剤作業を行うことができる小型に構成することができ、空気調整システム４を小型化するこができる。その結果、クリーンルームユニット１の小型化、低コスト化を実現することが可能になる。【００６３】  クリーンルームユニット１を小型化でき、そのクリーンルームユニット１を建物の内部に独立に設置することができるため、医療施設において、このクリーンルームユニット１の設置場所を確保し易く、従来のクリーンルーム、前室（エアシャワー装置）、クリーンベンチに代わる、非常に有益なクリーンルームユニット１を提供することが可能になる。
そして、実質的には、このクリーンルームユニット１を設置する部屋をクリーンルームとする必要がないので、設備コストを大幅に削減することができる。但し、クリーンルームユニット１をクリーンルーム内に設置してもよく、この場合、調剤作業を行う為のより望ましい環境を作ることができる。【００６４】  ところで、図７に示すように、クリーンルームユニット１に設けたＰＣ８８は、ＬＡＮ９０により外部のホストコンピュータ９１に接続されている。このホストコンピュータ９１には、薬品マスタデータファイル９２、患者データファイル９３、薬歴データファイル９４、処方データファイル９５、プロトコールデータファイル９６、調整手順データファイル９７、監査データファイル９８が設けられている。【００６５】  薬品マスタデータファイル９２には、複数種類の薬品の薬品マスタデータが記憶されており、各薬品マスタデータとして、薬品コード、薬品名、略称、規格量、入力単位、薬品区分、保存区分、成分量、ｐＨ等のデータが記憶されている。患者データファイル９３には、複数の患者の患者データが記憶されており、各患者データとして、患者ＩＤ、氏名、年齢、性別、生年月日、住所、電話番号、身長、体重、血液型等のデータが記憶されている。【００６６】  薬歴データファイル９４には、複数の患者の各々が服薬した薬歴データが記憶され、処方データファイル９５には、複数の患者の各々に対して作成された処方箋の処方データが記憶されている。
プロトコールデータファイル９６には、複数のガン患者に対して作成された複数のプロトコールのデータが記憶され、各実施プロトコールデータとして、患者ＩＤ、登録日、区分、患者の氏名と性別と生年月日と年齢、診療科、担当医師、患者の身長と体重と体表面積、病名とガン化学療法名、施用する抗ガン剤、各抗ガン剤の施用日、各抗ガン剤薬の各回の投与量等のデータが記憶されている。【００６７】  調整手順データファイル９７には、前記処方箋（処方データ）に基づいて、その処方による抗ガン剤を調整する調整手順データ、或いは、調整手順データを作成する為の調整手順マスタデータが記憶されている。
監査データファイル９８には、抗ガン剤を調整した後の監査作業を支援する監査データが記憶されている。【００６８】  これらデータファイル９２〜９８のデータは、場合によりホストコンピュータ９１で加工し、ホストコンピュータ９１からＰＣ８３に供給され。ＰＣ８３は入力したデータを、場合によって加工して、ディスプレイ８４に表示させることができる。例えば、ディスプレイ８４に今から行う調剤作業の調整手順を表示させることができる。例えば、その調整手順データについては、ＩＣチップリーダ８８により読み込んだＩＣチップの情報に基づいて、自動的にホストコンピュータ９１から供給するようにもできる。【００６９】  前記クリーンルームユニット１の変更形態について説明する。
１］前記エアシャワーモード、換気モード、陽圧作業モード、陰圧作業モードのうち、少なくとも１つのモードへの切り換えについては、開閉ドア１２や開閉シャッタ２３の開閉に連動して行うようにしてもよい。
例えば、開閉ドア１２が開いている状態から閉じると、エアシャワーモードに（例えば、数３０秒間だけ）自動的に切り換わるようにする。また、エアシャワーモードのとき、開閉ドア１２が閉じている状態から開けると、エアシャワーモードから換気モード又は陽圧作業モード又は陰圧作業モードに自動的に切り換わるようにする。尚、作業者を感知する赤外線センサを設け、作業者が作業ルーム２に入ったときに、エアシャワーモードに自動的に切り換わるようにしてもよい。【００７０】２］開閉シャッタ２３を開閉１駆動する開閉アクチュエータを設け、エアシャワーモードへの切り換え操作を行ったとき、シャッタ開閉検出センサ２４により開閉シャッタ２３が開いていることが検出された場合には、開閉アクチュエータにより開閉シャッタ２３を自動的に閉じ、その後、エアシャワーモードに切り換えて、作業ルーム２にエアシャワーを発生させるようにしてもよい。
３］開閉シャッタ２３を閉じた状態でロック可能なロック機構を設け、開閉シャッタ２３が閉じてエアシャワーモードになっている状態では、ロック機構により、開閉シャッタが開かないようにロックするようにしてもよい。【００７１】４］陰圧作業モードを省略し、空気調整システム４がエアシャワーモードと換気モードと陽圧作業モードとに択一的に切り換わるようにしてもよい。また、陽圧作業モードを省略し、空気調整システム４がエアシャワーモードと換気モードと陰圧作業モードとに択一的に切り換わるようにしてもよい。また、換気モードを省略してもよい。
５］自動マット交換装置３０、薬品出入部７０、ＰＣ８３、ＩＣチップリーダ８８等については省略してもよい。【００７２】６］プリンタをＰＣ８３に接続して設けてもよい。そして、このプリンタにより、前記薬品データ、患者データ、薬歴データ、処方データ、プロトコールデータ、調整手順データ、監査データ等をプリントするようにしてもよい。
７］クリーンルームユニット１のサイズ、形状、内部構成については、前記実施例に開示された以外に、種々のサイズ、形状、内部構成としてもよい。【００７３】８］クリーンルームユニット１の作業ルーム２内にマイクロフォンとスピーカを設け、外側に臨む部分にもマイクロフォンとスピーカを設けて、作業ルーム２内の作業者と外部の人が会話できるように構成してもよい。
９］その他、本発明の趣旨を逸脱しない範囲において種々の変更を付加して実施することが可能である。
【図１】
0004429313.tif 000002
【図２】
0004429313.tif 000003
【図３】
0004429313.tif 000004
【図４】
0004429313.tif 000005
【図５】
0004429313.tif 000006
【図６】
0004429313.tif 000007
【図７】
0004429313.tif 000008
【図８】
0004429313.tif 000009
【図９】
0004429313.tif 000010
【図１０】
0004429313.tif 000011
【図１１】
0004429313.tif 000012
【図１２】
0004429313.tif 000013